(57)【要約】【課題】個人情報を適切に管理することができる画像読取装置を提供する。【解決手段】原稿のスキャン読取りを行なう（Ｓ３００）。読取られたデータ中の個人情報（名前など）の検出を行なう（Ｓ３０１）。検出された個人情報に対応する個人情報がデータ記憶部から検索され、両個人情報が比較される（Ｓ３０２）。差があれば、ユーザの指示により（Ｓ５０１）、読取られたデータ中の個人情報の置換え処理を行なう（Ｓ５０２）。【選択図】図５
2008060921.tif 000002
【特許請求の範囲】
【請求項１】
文書をスキャンすることにより画像データを取得する取得手段と、
前記取得された画像データを記憶する記憶手段と、
前記取得された画像データ内の個人情報を、第１の個人情報として検出する検出手段と、
前記検出された第１の個人情報により特定される個人に関する個人情報を、データベースから第２の個人情報として検索する検索手段と、
前記第１の個人情報と前記第２の個人情報とを比較する比較手段と、
前記比較手段の比較結果に基づいて、前記記憶手段に記憶された画像データの出力方法を変更する変更手段とを備えた、画像読取装置。
【請求項２】
前記記憶手段に記憶された画像データの出力として、画像形成を行なう画像形成手段をさらに備えた、請求項１に記載の画像読取装置。
【請求項３】
前記比較手段で比較結果に差があった場合、その結果を表示する表示手段をさらに備えた、請求項１または２に記載の画像読取装置。
【請求項４】
前記変更手段は、
前記比較手段で比較結果に差があった場合、前記第１の個人情報を、前記第２の個人情報で置換える旨の入力をユーザから受付ける受付手段と、
前記受付手段でユーザからの入力が受付けられたときに、前記取得された画像データ内の前記第１の個人情報を、前記第２の個人情報に置換える置換手段とを含む、請求項１から３のいずれかに記載の画像読取装置。
【請求項５】
前記変更手段は、前記比較手段で比較結果に差があった場合、前記取得された画像データ内の前記第１の個人情報を、前記第２の個人情報に置換える、請求項１から４のいずれかに記載の画像読取装置。
【請求項６】
前記置換えられた情報の部分を識別可能とする、請求項４または５に記載の画像読取装置。
【請求項７】
前記変更手段は、前記比較手段で比較結果に差があった場合、前記取得された画像データ内の前記第１の個人情報の付近に、前記第２の個人情報が表示されるようにする、請求項１から３のいずれかに記載の画像読取装置。
【請求項８】
前記変更手段は、前記比較手段で比較結果に差があった場合、前記取得された画像データ内において、前記第２の個人情報が吹き出しで表示されるようにする、請求項１から３のいずれかに記載の画像読取装置。
【請求項９】
前記変更手段は、前記比較手段で比較結果に差があった場合、前記第１および第２の個人情報をリスト化して出力する、請求項１から３のいずれかに記載の画像読取装置。
【請求項１０】
前記取得された画像データ内の所定のマークを検出するマーク検出手段をさらに備え、
前記変更手段は、前記マーク検出手段での検出結果に基づいて、前記記憶手段に記憶された画像データの加工を行なわない、請求項１から９のいずれかに記載の画像読取装置。
【請求項１１】
前記取得された画像データ内の所定のマークを検出するマーク検出手段をさらに備え、
前記変更手段は、前記マーク検出手段での検出結果に基づいて、前記記憶手段に記憶された画像データにおいて、前記所定のマークが示す部分の処理を変更する、請求項１から９のいずれかに記載の画像読取装置。
【請求項１２】
文書をスキャンすることにより画像データを取得する取得ステップと、
前記取得された画像データを記憶する記憶ステップと、
前記取得された画像データ内の個人情報を、第１の個人情報として検出する検出ステップと、
前記検出された第１の個人情報により特定される個人に関する個人情報を、データベースから第２の個人情報として検索する検索ステップと、
前記第１の個人情報と前記第２の個人情報とを比較する比較ステップと、
前記比較ステップでの比較結果に基づいて、前記記憶ステップで記憶された画像データの出力方法を変更する変更ステップとを備えた、画像読取装置の制御方法。
【請求項１３】
文書をスキャンすることにより画像データを取得する取得ステップと、
前記取得された画像データを記憶する記憶ステップと、
前記取得された画像データ内の個人情報を、第１の個人情報として検出する検出ステップと、
前記検出された第１の個人情報により特定される個人に関する個人情報を、データベースから第２の個人情報として検索する検索ステップと、
前記第１の個人情報と前記第２の個人情報とを比較する比較ステップと、
前記比較ステップでの比較結果に基づいて、前記記憶ステップで記憶された画像データの出力方法を変更する変更ステップとをコンピュータに実行させる、画像読取装置の制御プログラム。
【発明の詳細な説明】
【技術分野】
【０００１】
この発明は画像読取装置、画像読取装置の制御方法、および画像読取装置の制御プログラムに関し、特に個人情報の管理を行なうことができる画像読取装置、画像読取装置の制御方法、および画像読取装置の制御プログラムに関する。
【背景技術】
【０００２】
従来より、原稿画像を読取るスキャナと、スキャナにより読取られた画像を用紙にコピーする機能を備えるＭＦＰ（Multi Function Peripheral）などの画像読取装置が知られ
ている。ＭＦＰは、画像をＦＡＸ回線などを用いて外部に送信したり、外部から画像データを受信して、それを用紙にプリントすることが可能である。
【０００３】
下記特許文献１は、撮影デバイスでオブジェクトおよびコードを撮影すると、それに関連する情報を収集する情報収集システムを開示している。
【０００４】
特許文献２は、イメージデータの特徴量を用いて、データベースに蓄積されているオリジナルのイメージデータを効率よく検索して、入力されたイメージデータの代わりに出力することができる画像処理システムを開示している。
【０００５】
特許文献３には、操作入力部から入力された送信先ＦＡＸ番号と送信原稿から読取った送信先ＦＡＸ番号とを比較し、比較結果が一致した場合は原稿画像データを送信するが、不一致であった場合はＦＡＸ番号の確認を促すメッセージを表示する送信装置が開示されている。
【特許文献１】特開２００４−１０２５４３号公報
【特許文献２】特開２００５−１４９３２３号公報
【特許文献３】特開２００５−３１１９９０号公報
【発明の開示】
【発明が解決しようとする課題】
【０００６】
文書に連絡先などの個人情報（氏名、部署、住所、電話番号、ＦＡＸ番号、Ｅメールアドレスなど）を含ませる場合、文書の作成時に文書作成担当者は、最新の正しい連絡先を記載するよう注意する必要があり、手間がかかっていた。
【０００７】
また、これらの個人情報は変更される場合が多くあるが、変更に気づかずに文書のコピーが行なわれ、情報の配布が行われた場合、誤情報をもとに連絡を取ろうとしてもうまくいかない等の問題が発生する場合がある。
【０００８】
この発明は上記問題点を解決するためになされたものであり、個人情報を適切に管理することができる画像読取装置、画像読取装置の制御方法、および画像読取装置の制御プログラムを提供することを目的としている。
【課題を解決するための手段】
【０００９】
上記目的を達成するためこの発明のある局面に従うと、画像読取装置は、文書をスキャンすることにより画像データを取得する取得手段と、取得された画像データを記憶する記憶手段と、取得された画像データ内の個人情報を、第１の個人情報として検出する検出手段と、検出された第１の個人情報により特定される個人に関する個人情報を、データベースから第２の個人情報として検索する検索手段と、第１の個人情報と第２の個人情報とを比較する比較手段と、比較手段の比較結果に基づいて、記憶手段に記憶された画像データの出力方法を変更する変更手段とを備える。
【００１０】
好ましくは画像読取装置は、記憶手段に記憶された画像データの出力として、画像形成を行なう画像形成手段をさらに備える。
【００１１】
好ましくは画像読取装置は、比較手段で比較結果に差があった場合、その結果を表示する表示手段をさらに備える。
【００１２】
好ましくは変更手段は、比較手段で比較結果に差があった場合、第１の個人情報を、第２の個人情報で置換える旨の入力をユーザから受付ける受付手段と、受付手段でユーザからの入力が受付けられたときに、取得された画像データ内の第１の個人情報を、第２の個人情報に置換える置換手段とを含む。
【００１３】
好ましくは変更手段は、比較手段で比較結果に差があった場合、取得された画像データ内の第１の個人情報を、第２の個人情報に置換える。
【００１４】
好ましくは画像読取装置は、置換えられた情報の部分を識別可能とする。
好ましくは変更手段は、比較手段で比較結果に差があった場合、取得された画像データ内の第１の個人情報の付近に、第２の個人情報が表示されるようにする。
【００１５】
好ましくは変更手段は、比較手段で比較結果に差があった場合、取得された画像データ内において、第２の個人情報が吹き出しで表示されるようにする。
【００１６】
好ましくは変更手段は、比較手段で比較結果に差があった場合、第１および第２の個人情報をリスト化して出力する。
【００１７】
好ましくは画像読取装置は、取得された画像データ内の所定のマークを検出するマーク検出手段をさらに備え、変更手段は、マーク検出手段での検出結果に基づいて、記憶手段に記憶された画像データの加工を行なわない。
【００１８】
好ましくは画像読取装置は、取得された画像データ内の所定のマークを検出するマーク検出手段をさらに備え、変更手段は、マーク検出手段での検出結果に基づいて、記憶手段に記憶された画像データにおいて、所定のマークが示す部分の処理を変更する。
【００１９】
この発明の他の局面に従うと、画像読取装置の制御方法は、文書をスキャンすることにより画像データを取得する取得ステップと、取得された画像データを記憶する記憶ステップと、取得された画像データ内の個人情報を、第１の個人情報として検出する検出ステップと、検出された第１の個人情報により特定される個人に関する個人情報を、データベースから第２の個人情報として検索する検索ステップと、第１の個人情報と第２の個人情報とを比較する比較ステップと、比較ステップでの比較結果に基づいて、記憶ステップで記憶された画像データの出力方法を変更する変更ステップとを備える。
【００２０】
この発明のさらに他の局面に従うと、画像読取装置の制御プログラムは、文書をスキャンすることにより画像データを取得する取得ステップと、取得された画像データを記憶する記憶ステップと、取得された画像データ内の個人情報を、第１の個人情報として検出する検出ステップと、検出された第１の個人情報により特定される個人に関する個人情報を、データベースから第２の個人情報として検索する検索ステップと、第１の個人情報と第２の個人情報とを比較する比較ステップと、比較ステップでの比較結果に基づいて、記憶ステップで記憶された画像データの出力方法を変更する変更ステップとをコンピュータに実行させる。
【発明の効果】
【００２１】
上記発明に従うと、個人情報を適切に管理することができる画像読取装置、画像読取装置の制御方法、および画像読取装置の制御プログラムを提供することが可能となる。
【発明を実施するための最良の形態】
【００２２】
［第１の実施の形態］
図１は、本発明の第１の実施の形態における画像読取装置としてのＭＦＰの構成を示した概略ブロック図である。
【００２３】
ＭＦＰ１００は、様々な機能の操作設定を行い、また設定された機能の確認や種々の警告等を表示する操作表示部１０２と、スキャンにより画像を読取り電子データ化する画像読取部１０５と、読取られた電子データに対し色々な画像処理を行なう画像処理部１０６と、画像処理された電子データを既知の電子写真プロセスによりプリントアウトする画像形成部１０７と、それらの電子データおよび個人情報などを保存しておくデータ記憶装置１０８（データベースの一例）と、様々な処理において作業領域として使用されるＲＯＭ１０３と、ＲＡＭ１０４と、それらを統括的に制御する全体制御部１０１とから構成される。スキャンにより読取られた電子データは、ＲＡＭ１０４に一時的に記憶される。ＲＡＭ１０４に記憶された電子データは、必要に応じて加工される。
【００２４】
操作表示部１０２は、液晶表示装置とそれに積載されるタッチパネルとから構成され、情報の表示と、ユーザからの情報の入力が可能である。
【００２５】
更にＭＦＰ１００は、ネットワークに接続されたデータベースやＰＣなどとの間で情報のやりとりの窓口となる通信部１０９を備えている。
【００２６】
ＭＦＰは、文書をスキャンすることにより画像データを取得し、画像データ中から個人情報を検出し、抽出する。抽出した個人情報と、データ記憶部１０８や外部データベースに記憶された該当する個人情報とが比較される。両者が一致しない場合、スキャンにより得られた画像内の個人情報が、データ記憶部１０８や外部データベースに記憶された該当する個人情報で置換えられる。
【００２７】
図２は、ＭＦＰ内の構成の一部を詳細に示した概略ブロック図である。
ＭＦＰの画像処理部１０６内には、読取られた画像データの中から個人情報を検出する個人情報検出部２００と、検出した個人情報に対応する個人情報をデータ記憶部１０８（または外部データベースでもよい。以下同じ。）から検索するＤＢ検索部２０１と、読取られた画像データの中から検出した個人情報と、検索された個人情報とを比較するデータ比較部２０２とが備えられている。
【００２８】
図３は、データ記憶部１０８内のデータテーブルの構成を示す図である。
データ記憶部１０８内には、個人情報として氏名、部署、電話番号、内線番号、所属地域（サイト）等が対応付けられてテーブル４００に記憶されている。データ記憶部１０８内に記憶しておく情報としては、他にも郵便番号、住所、ＦＡＸ番号、メールアドレス等がある。
【００２９】
図４は、ＭＦＰで行われる個人情報検出／比較処理を示すフローチャートである。
ＭＦＰは、画像読取部１０５で原稿の読取りを行なう（Ｓ３００）。読取りにより得られた画像データは、ＲＡＭ１０４に一時的に記録される。そして、画像処理部１０６の個人情報検出部２００で、読取られたデータ中の個人情報（名前など）の検出を行なう（Ｓ３０１）。検出された個人情報に対応する個人情報の検索を、ＤＢ検索部２０１で行なう。その後、検出された個人情報と検索された個人情報とをデータ比較部２０２で比較する（Ｓ３０２）。
【００３０】
個人情報の検出においては、原稿画像から文字領域を特定し、文字領域に対して文字認識を行なうことによりテキスト情報を得る。テキスト情報の中に、登録された氏名があるかが検索される。これは、人名辞書として準備された人名と同じ文字列があるかにより検索を行なってもよいし、データ記憶部１０８に登録された氏名と同じ氏名があるかを検索することとしてもよい。さらに、氏名の近傍にある、「ＴＥＬ」、「ＦＡＸ」などのキーワードが検索され、それに続く数字が電話番号、ＦＡＸ番号として検出される。
【００３１】
さらに、氏名の前にある文字列が、所属部署名の文字列とされる。これも誤判別により誤った文字列が所属部署名と判断されることを防ぐため、予め、実在する所属部署名を辞書として装置に登録しておき、登録された所属部署名と同じ文字列が検索された場合にのみ、その文字列を所属部署名とすることとしてもよい。または、データ記憶部１０８に登録された所属部署名と同じ文字列が検索された場合にのみ、その文字列を所属部署名とすることとしてもよい。
【００３２】
さらに、個人情報は、宛先として原稿画像の上部に位置することが多いため、このような位置に限定して検出を行なうこととしてもよい。また、定型のファクシミリ送信文書のフォーム、書簡のフォームなどがある場合には、宛先や送信元が記載される位置が決まっているため、このような位置を登録し、登録された位置において検出を行なうこととしてもよい。
【００３３】
原稿画像から検出された氏名、電話番号、ＦＡＸ番号、所属部署名その他の情報が、その氏名で特定される個人に対する個人情報とされる。
【００３４】
たとえば、原稿画像中から氏名と、それに対応する部署、電話番号、ＦＡＸ番号が検出されたのであれば、その氏名に対応付けてデータベースに記録された部署、電話番号、ＦＡＸ番号が読出され、両者の比較が行なわれる。
【００３５】
図５は、第１の実施の形態におけるＭＦＰの画像形成動作を示すフローチャートである。
【００３６】
前述の通り、ステップＳ３００〜Ｓ３０２において、原稿のスキャン、個人情報の検出、および個人情報の比較が行なわれる。検出された個人情報と記憶されている個人情報に差がある場合（Ｓ５００でＹＥＳ）、操作表示部１０２の操作パネルに、画像データ内の個人情報をＭＦＰ内（または外部データベース内）に記憶された個人情報と置換えるかどうかのメッセージを表示し、選択入力を受付ける（Ｓ５０１）。
【００３７】
ユーザが置換えることを選択すると（Ｓ５０１でＹＥＳ）、画像データ内の個人情報を、記憶された個人情報に置換えて出力する（Ｓ５０２）。
【００３８】
検出された個人情報と記憶されている個人情報に差がない場合（Ｓ５００でＮＯ）、またはユーザが操作パネルで置換えしないことを選択した場合（Ｓ５０１でＮＯ）には、データの置換えは行わずに、スキャンしたデータのまま出力を行なう（Ｓ５０３）。
【００３９】
図６は、第１の実施の形態における置換え処理を説明するための図である。
ＭＦＰが原稿６００をスキャンする。ここでは原稿内に「庶務課  鈴木太郎」の個人情報が含まれているものとする。ＭＦＰは、原稿の画像データから個人情報を検出する。その後、データ記憶部１０８にアクセスし当該個人情報により特定される個人に関する個人情報を検索し、原稿から検出された個人情報とデータ記憶部１０８から検索された個人情報とを比較する。比較した結果、所属部署に不一致が認められたものとする。この場合、操作パネルにその旨の表示６０１を行なう。これにより、ユーザに原稿の個人情報の置換えを行なうかどうかを選択させる。
【００４０】
ここでは、原稿の画像データ中では所属が「庶務課」であるが、データ管理部１０８に記録された所属が「管理課」であったものとする。表示６０１では、差異のあった個人情報の部分が目立つように示され、ユーザに対して置換えを行なうか否かを選択させるメッセージを表示する。
【００４１】
ユーザが置換えを行なう旨の選択をした場合は、原稿の個人情報をデータ記憶部１０８から検索された個人情報に置換えてＲＡＭ１０４に記憶する。この状態でコピーを行なうと、置換え処理を行なった結果物６０２が出力される。
【００４２】
図７は、図６の処理の変形例を示す図である。
ここでは、置換え処理が行なわれる際に、読込んだ原稿との置換え箇所をユーザに容易に識別させるために、置換え箇所の文字のフォント（または文字サイズ、色等）を変更して結果物７００として出力する。
【００４３】
［第２の実施の形態］
第２の実施の形態におけるＭＦＰの構成は、第１の実施の形態におけるそれと同じであるためここでの説明を繰返さない。
【００４４】
図８は、第２の実施の形態におけるＭＦＰの画像形成動作を示すフローチャートである。
【００４５】
このフローチャートにおいて、ステップＳ３００〜Ｓ５００、およびＳ５０３での処理は、図５の各ステップと同じである。ここでは、検出された個人情報と記憶されている個人情報に差がある場合（Ｓ５００でＹＥＳ）、ユーザに、吹き出し表示で原稿内に追加してデータ記憶部１０８内の情報を表示するかを促すメッセージを表示する（Ｓ６０１）。
【００４６】
その結果、ユーザが吹き出し表示での追加を選択をした場合（Ｓ６０１でＹＥＳ）は、原稿データに吹き出し表示を追加する（Ｓ６０２）。
【００４７】
図９は、第２の実施の形態における吹き出し表示処理を説明するための図である。
ＭＦＰが原稿６００をスキャンする。ここでは原稿内に「庶務課  鈴木太郎」の個人情報が含まれているものとする。ＭＦＰは、原稿の画像データから個人情報を検出する。その後、データ記憶部１０８にアクセスし当該個人情報により特定される個人に関する個人情報を検索し、原稿から検出された個人情報とデータ記憶部１０８から検索された個人情報とを比較する。比較した結果、所属部署に不一致が認められたものとする。この場合、操作パネルにその旨の表示８００を行なう。これにより、ユーザに原稿の個人情報の不一致箇所での吹き出し表示を行なうかどうかを選択させる。
【００４８】
ここでは、原稿の画像データ中では所属が「庶務課」であるが、データ管理部１０８に記録された所属が「管理課」であったものとする。表示８００では、差異のあった個人情報の部分が目立つように示され、ユーザに対して吹き出し表示を行なうか否かを選択させるメッセージを表示する。
【００４９】
ユーザが吹き出し表示を行なう旨の選択をした場合は、原稿の個人情報に対し、データ記憶部１０８から検索された個人情報を吹き出しとして近くに記載してＲＡＭ１０４に記憶する。この状態でコピーを行なうと、吹き出し表示を行なった結果物８０１が出力される。
【００５０】
［第３の実施の形態］
第３の実施の形態におけるＭＦＰの構成は、第１の実施の形態におけるそれと同じであるためここでの説明を繰返さない。
【００５１】
図１０は、第３の実施の形態におけるＭＦＰの画像形成動作を示すフローチャートである。
【００５２】
このフローチャートにおいて、ステップＳ３００〜Ｓ５００、およびＳ５０３での処理は、図５の各ステップと同じである。ここでは、検出された個人情報と記憶されている個人情報に差がある場合（Ｓ５００でＹＥＳ）、ユーザに、不一致箇所をリスト化するかを促すメッセージを表示する（Ｓ６２１）。
【００５３】
その結果、ユーザがリスト化を希望した場合（Ｓ６２１でＹＥＳ）は、リストを出力する（Ｓ６２３）。その後、ステップＳ５０３からの処理を行なう。
【００５４】
図１１は、第３の実施の形態におけるリスト作成処理を説明するための図である。
ＭＦＰが原稿６００をスキャンする。ここでは原稿内に「庶務課  鈴木太郎」の個人情報が含まれているものとする。ＭＦＰは、原稿の画像データから個人情報を検出する。その後、データ記憶部１０８にアクセスし当該個人情報により特定される個人に関する個人情報を検索し、原稿から検出された個人情報とデータ記憶部１０８から検索された個人情報とを比較する。比較した結果、所属部署に不一致が認められたものとする。この場合、操作パネルにその旨の表示９００を行なう。これにより、ユーザにリスト化処理で別途リスト出力を行なうかを選択させる。ユーザがリスト化処理を選択した場合は、スキャンした原稿を結果物９０１として出力するのとは別に、読込んだ原稿の個人情報と記憶された個人情報との不一致箇所を別途、リスト化して出力物９０２とする。
【００５５】
出力物９０２には、原稿内の個人情報と、データ記憶部１０８の個人情報のうち少なくとも不一致のものとが対応付けられて表示される。これにより、ユーザに不一致箇所を明示することができる。
【００５６】
［第４の実施の形態］
第４の実施の形態におけるＭＦＰの構成は、第１の実施の形態におけるそれと同じであるためここでの説明を繰返さない。
【００５７】
図１２は、第４の実施の形態におけるＭＦＰの画像形成動作を示すフローチャートである。
【００５８】
このフローチャートにおいて、ステップＳ３００〜Ｓ５０３での処理は、図５の各ステップと同じである。この実施の形態においては、原稿に所定のマークが付されていると、そのマークで示される個人情報は、データ記憶部１０８のデータと比較せずに、そのまま出力する。
【００５９】
すなわち、原稿のスキャン画像内に所定のマークがあるかの検出を行なう（Ｓ１０００）。所定のマークが検出されない場合は、ステップＳ３０１からの処理を行なう。また、マークがあればそのマークで示される単語については、ステップＳ５０３で原稿のまま出力する。
【００６０】
なお、逆に所定のマークが検出された場合は、マークが示す個人情報についてステップＳ３０１以降の処理を行い、検出されなかった場合にステップＳ５０３で原稿のまま出力するようにしてもよい。
【００６１】
また、マークが付されていた場合（または付されていなかった場合）に、ステップＳ３０１で原稿全体から個人情報を抽出してステップＳ３０２以降の処理を行なってもよいし、マークが付されていなかった場合（または付されていた場合）には、原稿をそのまま出力するようにしてもよい。
【００６２】
なお、マークとしては個人情報を囲む図形、個人情報を示す矢印、その他個人情報の処理についての指示を示す印を用いることができる。
【００６３】
［実施の形態における効果］
以上の構成により、スキャンにより得られた個人情報が検出、抽出され、記憶された該当する個人情報と比較され、差がある場合にはそれを修正したり、ユーザに判るように表示することができる。このような処理により、原稿上の情報が旧情報であったりミスがあった場合に置換えることができ、常に最新の情報で配布物を配布することが可能となる。
【００６４】
［その他］
上記の例では、コピー出力する場合の個人情報の置換えなどについて説明したが、スキャン画像を外部に送信する場合や、保存する場合に置換えなどを行なうようにしてもよい。例えばＭＦＰがＥメール送信機能を持っているならば、画像データをＥメールに添付して送信しても良い。またＭＦＰがリムーバブルメモリに接続する機能を有しているならば、リムーバブルメモリへ画像データをコピーして出力しても良い。
【００６５】
本発明はＭＦＰ、ファクシミリ装置、複写機、ＰＣなどの画像読取装置に対して実施することができる。
【００６６】
また、上述の実施の形態における処理は、ソフトウエアによって行なっても、ハードウエア回路を用いて行なってもよい。
【００６７】
また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。また、プログラムはインターネットなどの通信回線を介して、装置にダウンロードするようにしてもよい。
【００６８】
なお、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６９】
【図１】本発明の第１の実施の形態における画像読取装置としてのＭＦＰの構成を示した概略ブロック図である。
【図２】ＭＦＰ内の構成の一部を詳細に示した概略ブロック図である。
【図３】データ記憶部１０８内のデータテーブルの構成を示す図である。
【図４】ＭＦＰで行われる個人情報検出／比較処理を示すフローチャートである。
【図５】第１の実施の形態におけるＭＦＰの画像形成動作を示すフローチャートである。
【図６】第１の実施の形態における置換え処理を説明するための図である。
【図７】図６の処理の変形例を示す図である。
【図８】第２の実施の形態におけるＭＦＰの画像形成動作を示すフローチャートである。
【図９】第２の実施の形態における吹き出し表示処理を説明するための図である。
【図１０】第３の実施の形態におけるＭＦＰの画像形成動作を示すフローチャートである。
【図１１】第３の実施の形態におけるリスト作成処理を説明するための図である。
【図１２】第４の実施の形態におけるＭＦＰの画像形成動作を示すフローチャートである。
【符号の説明】
【００７０】
１００  ＭＦＰ、１０１  制御部、１０２  操作表示部、１０３  ＲＯＭ、１０４  ＲＡＭ、１０５  画像読取部、１０６  画像処理部、１０７  画像形成部、１０８  データ記憶装置、１０９  通信部、２００  個人情報検出部、２０１  ＤＢ検索部、２０２  データ比較部。
【図１】
2008060921.tif 000003
【図２】
2008060921.tif 000004
【図３】
2008060921.tif 000005
【図４】
2008060921.tif 000006
【図５】
2008060921.tif 000007
【図６】
2008060921.tif 000008
【図７】
2008060921.tif 000009
【図８】
2008060921.tif 000010
【図９】
2008060921.tif 000011
【図１０】
2008060921.tif 000012
【図１１】
2008060921.tif 000013
【図１２】
2008060921.tif 000014